(57)【要約】【課題】排水機能付きブロックに形成される導水孔を内広がり形状に成形でき、また、内広がり形状の導水孔によって土砂等の侵入を減らし、堆積を防止することができるようにする。【解決手段】内部に排水路が形成され、外面から前記排水路に連通する導水孔が形成されている排水機能付きブロックを成形するための成形型において、前記排水路を成形するための内型１１と、導水孔を形成するための孔用型１２とを備え、この孔用型１２を、内型１１の内外に出退自在として設け、その進出方向の先端側を先細り形状に形成する。【選択図】　　　図１
2004058533.tif 000002
【特許請求の範囲】
【請求項１】
内部に排水路（３）が形成され、外面から前記排水路（３）に連通する導水孔（４）が形成されている排水機能付きブロック（１）を成形するための成形型において、
前記排水路（３）を成形するための内型（１１）と、導水孔（４）を形成するための孔用型（１２）とを備え、この孔用型（１２）は、内型（１１）の内外に出退自在として設けられ、その進出方向の先端側が先細り形状に形成されていることを特徴とする排水機能付きブロックの成形型。
【請求項２】
前記内型（１１）内に、孔用型（１２）を出退動作させる操作機構（１５）が備えられていることを特徴とする排水機能付きブロックの成形型。
【請求項３】
内部に排水路（３）が形成され、外面から排水路（３）に連通する導水孔（４）が形成されている排水機能付きブロックを成形するための成形型において、
前記導水孔（４）を成形するための孔用型（１２）を備え、この孔用型（１２）は、排水路（３）側に位置する先端部側の外形寸法が拡縮自在とされていることを特徴とする排水機能付きブロックの成形型。
【請求項４】
孔用型（１２）は、基端部側同士が連結された一対の枠材（５１，５２）と、この枠材（５１，５２）の先端部間に挿入されることにより一対の枠材（５１，５１）の先端部間隔を拡げる操作具（６１，７１）と、一対の枠材（５１，５２）の先端部間隔を狭める方向に付勢する付勢部材（５３）と、を有していることを特徴とする請求項３に記載の排水機能付きブロックの成形型。
【請求項５】
前記操作具（６１）は、一対の枠材（５１，５２）の間に長手方向移動自在に挿入され且つ長手方向の移動によって一対の枠材（５１，５２）の先端部間隔を拡大する楔部（６４）を先端部に有していることを特徴とする請求項４に記載の排水機能付きブロックの成形型。
【請求項６】
前記操作具（７１）は、排水路（３）を成形するための内型（１１）の内外に出退自在として設けられ、内型（１１）から突出することによって一対の枠材（５１，５２）の先端部間に挿入されるカム部材（７２）を有していることを特徴とする請求項４に記載の排水機能付きブロックの成形型。
【請求項７】
前記カム部材（７２）を出退動作させる操作機構（７６）が内型（１１）内に備えられていることを特徴とする請求項６に記載の排水機能付きブロックの成形型。
【請求項８】
請求項１〜７のいずれかに記載の成形型を用いて成形され、その導水孔（４）が、ブロック外面側から排水路（３）側へ向けて次第に開口面積が広がるような内広がり形状に形成されていることを特徴とする排水機能付きブロック。
【請求項９】
内部に排水路（３）が形成され、外面から排水路（３）に連通する導水孔（４）が形成されている排水機能付きブロックにおいて、
前記導水孔（４）が、ブロック外面側から排水路（３）側へ向けて次第に開口面積が広がるような内広がり状に形成されていることを特徴とする排水機能付きブロック。
【発明の詳細な説明】
【０００１】
【発明の属する技術分野】
本発明は、例えば、側溝ブロックや境界ブロック等の排水機能付きのブロック及びその成形型に関するものである。
【０００２】
【従来の技術】
排水機能付きのブロックとしては、例えば、特開２０００−４５２１２号公報に開示されているように、歩道と車道とを区画するためにその境界に設置される境界ブロックが公知である。
これは、地面を分境するために地表に突出して配置される境界コンクリートブロックであって、該ブロック内の長手方向に連通する排水路を備えるとともに、側壁に前記排水路に水平方向又は上方向から連通する導水孔を設けたものとなっており、雨水等の地表水を導水孔を介して排水路に導き、排水することによって、境界ブロックの近辺に側溝を敷設することなく排水処理を容易に行うことができるという利点を有している。
【０００３】
【発明が解決しようとする課題】
上記のようなコンクリート製のブロックを成形するにあたって、その成形型には、境界ブロックの外面を成形する外型、排水路を成形する内型（中子）、導水孔を形成するために孔用型等が用いられる。
この孔用型は、通常外型側から挿入され、成形後に外方へ抜き取られるようになっているため、この抜き取りを容易にするために外広がり状の抜き勾配が形成されるようになっていた。
【０００４】
しかし、抜き勾配を形成した孔用型により成形された導水孔は、ブロック外面側の流入口が大きく排水路側の排出口が小さくなるような外広がり形状となり、流入口に雨水とともに土砂や石等が侵入しやすく、また、排出口側の開口面積が小さくなるため、侵入した土砂等が導水孔内で堆積してしまい、排水機能の低下や喪失を招いてしまうという問題がある。
本発明は、このような問題に鑑みてなされたものであり、ブロックに形成された導水孔を内広がり形状に成形できるようにして、土砂等の侵入を減らし堆積を防止しうる排水機能付きブロックの成形型及び排水機能付きブロックを提供することを目的とする。
【０００５】
【課題を解決するための手段】
本発明は、上記目的を達成するために以下の技術的手段を講じている。
すなわち、本発明は、内部に排水路が形成され、外面から排水路に連通する導水孔が形成されている排水機能付きブロックを成形するための成形型において、前記排水路を成形するための内型と、導水孔を形成するための孔用型とを備え、この孔用型は、内型の内外に出退自在として設けられ、その進出方向の先端側が先細り形状となるように形成されていることを特徴とするものである。
【０００６】
これによれば、進出方向の先端側が先細り状とされた孔用型によって、ブロックには、内広がり形状（外狭まり形状）の導水孔が成形されることとなり、この導水孔の流入口からの土砂等の侵入を減らし、侵入したとしても導水孔内に堆積しないようすることができる。
前記内型内には、孔用型を出退動作させる操作機構が備えられていることが好ましい。
この操作機構を用いることによって、孔用型の進出・後退（抜き取り）動作が容易に行えるようになる。
【０００７】
本発明は、内部に排水路が形成され、外面から排水路に連通する導水孔が形成されている排水機能付きブロックを成形するための成形型において、
前記導水孔を成形するための孔用型を備え、この孔用型は、排水路側に位置する先端部側の外形寸法（厚さ、幅又は径）が拡縮自在とされていることを特徴とするものである。
これによれば、導水孔を成形する際には、孔用型の先端部の外形寸法を拡大することによって内広がり形状の導水孔を成形し、成形後、孔用型を抜き取るときには先端部の外形寸法を縮小することによってその抜き取りを容易に行うことができるようになる。
【０００８】
上記構成において、孔用型は、基端部側同士が連結された一対の枠材と、この枠材の先端部間に挿入されることにより一対の枠材の先端部間隔を拡げる操作具と、一対の枠材の先端部間隔を狭める方向に付勢する付勢部材と、を有していることが好ましい。
このような構成によって、孔用型の先端部を容易に拡縮できるようになる。
上記操作具としては、一対の枠材の間に長手方向移動自在に挿入され且つ長手方向の移動によって一対の枠材の先端部間隔を拡大する楔部を先端部に有したものとしたり、また、排水路を成形するための内型の内外に出退自在として設けられ、内型から突出することによって一対の枠材の先端部間に挿入されるカム部材を有した構成とすることができる。
【０００９】
後者の場合、前記カム部材を出退動作させる操作機構を内型内に備えていることが好ましい。
本発明にかかる排水機能付きブロックは、上記各構成の成形型を用いて成形され、その導水孔は、ブロック外面側から排水路側へ向けて次第に開口面積が広がるような内広がり形状に形成されていることを特徴とするものである。
また、本発明にかかる排水機能付きブロックは、内部に排水路が形成され、外面から排水路に連通する導水孔が形成されている排水機能付きブロックにおいて、
前記導水孔が、ブロック外面側から排水路側へ向けて次第に開口面積が広がるような内広がり形状に形成されていることを特徴とするものである。
【００１０】
これらのような排水機能付きブロックの構成によって、導水孔に対する土砂等の侵入を減らし、堆積を防止することができ、排水機能を好適に維持することが可能となる。
【００１１】
【発明の実施の形態】
以下、本発明の実施の形態を図面を参照して説明する。
図１３は、境界ブロックで例示する本発明の実施形態にかかる排水機能付きブロック１を示しており、この境界ブロック１はコンクリート製であって略直方体形状（横長のブロック状）に形成されており、その一側の上角部に一段下がった段部２が形成されている。
境界ブロック１の内部には、長手方向に貫通する円形状の排水路３が形成され、前記段部２が形成されている部分には、ブロック外面から排水路３に連通する導水孔４が排水路形成されている。
【００１２】
図例では、導水孔４は境界ブロック１の長手方向に間隔をあけて２つ形成されており、境界ブロック１の長手方向に関する寸法（厚さ）Ｌよりも、この長手方向に直交する寸法（幅）Ｗの方が大きく形成された略長方形のスリット形状に形成されている。また、導水孔４のブロック外面側の開口（流入口４Ａ）は、段部底面２Ａから段部立面２Ｂ、ブロック頂面にかけて形成されている。
また、この境界ブロック１は、例えば図１４に示すように、歩道Ｈと車道Ｓとを区画するために利用され、車道Ｓ側端部の路面高さが段部２の底面２Ａの高さに適合するように施工される。したがって、この段部底面２Ａよりも上側部分が地上突出部（地上露出部）とされ、下側部分が地中埋設部とされる。また、車道Ｓ側の端部（エプロンと呼ばれる部分）には、集水のための下り勾配が形成される。
【００１３】
図１〜図３は、上記のような境界ブロック１を成形するための成形型を示すものであり、特に、排水路３を成形するための内型１１と、導水孔４を形成するための孔用型１２とを示している。なお、成形型には、内型１１と孔用型１２の他、境界ブロック１の外形を成形する外型（図示略）が用いられ、これは、図１３，図１４に示した境界ブロック１の外面をほぼそのまま象った形状とされる。
また、本実施形態における成形型の以下の説明においては、図１の左右方向（内型の長手方向）を左右方向、上下方向を上下方向、紙面貫通方向を前後方向とする。
【００１４】
上記内型１１は円形の筒形状を呈し、これに対して孔用型１２は、その先端部側（上部側）が先細り形状となる正面視及び側面視で台形状を呈しており、上記内型１１の筒内に左右に間隔をおいて２つ配置されている。そして、孔用型１２の先端部に対向する内型１１の上部には、孔用型１２を突出させるための孔１３が形成されており、更に、内型１１には、孔１３を介して孔用型１２を内型１１の内部から外部へ出退移動させるための操作機構１５が設けられている。
この操作機構１５は、内型１１の長手方向に沿って配置され２つの孔用型１２の基部を支持する昇降台１６と、この昇降台１６を昇降運動させるための昇降手段１７と、この昇降台１６の昇降動作を前後両側でガイドする第１ガイド部１８Ａと左右両側でガイドする第２ガイド部１８Ｂとを有したガイド手段と、を備えている。
【００１５】
昇降台１６は長尺の帯板材により構成され、その長手方向の２カ所に円形状の凹部２０を形成しており、この凹部２０内に孔用型１２の基部に設けられた円板状の取付板２１をはめ込んでネジによって着脱自在に固定している。また、凹部２０を除く部分には、上下に貫通する略長方形状の開口２２が複数形成されている。
昇降手段１７は、内型１１内に装備されたベース板２４を備え、このベース板２４の左右両端部は内型１１から突出しており、この突出部分にはそれぞれ前後一対の支持板２５を立設している。
【００１６】
左右各一対の支持板２５には２本の副軸２７が上下に間隔をおいて回転自在に架設され、この２本の副軸２７の左右外側で上下間には１本の主軸２８が回転自在に架設されている。
また、各軸２７，２８には、それぞれ前後一対のスプロケット２９が固定され、前後２組（各組３つの）スプロケット２９にそれぞれチェーン３０が巻回され、このチェーン３０の両端部は昇降台１６の端部に連結されている。
内型１１の左右一方側に配置された一対の支持板２５には、端部にハンドル３２を備えた駆動軸３３が回転自在に架設されており、駆動軸３３の一端部と主軸２８の一端部には、互いに噛合する歯車３４がそれぞれ固定され、この歯車３４を介して駆動軸３３の回転が主軸２８に伝達されるようになっている。
【００１７】
また、駆動軸３３の他端部には駆動スプロケット３６が固定され、内型１１の左右他方側に配置された一対の支持板２５の主軸２８の端部には従動スプロケット３７が固定され、これらスプロケット３６，３７にチェーン３８が巻回されており、駆動軸３３の回転がこの主軸２８にも伝達されるようになっている。
したがって、駆動軸３３の回転によって左右両方の主軸２８，２８が連動して回転され、この回転によってチェーン３０が回送運動し、このチェーン３０に連結された昇降台１６が上下に昇降するようになっている。
【００１８】
そして、この昇降台１６の昇降によって孔用型１２が上下動し、孔１３を介して内型１１から進出又は後退するようになっている。
なお、上記駆動軸３３の回転操作は、ハンドル３２を介して行われる。
上記ガイド手段の第１ガイド部１８Ａは、昇降台１６の前後両側に立設されたガイド板４０と、昇降台１６の前後両側に設けられたフリーベアリング４１とを有しており、このフリーベアリング４１のボールをガイド板４０の対向面に摺動自在に当接させることによって昇降台１６の前後位置が規制されるようになっている。
【００１９】
第２ガイド部１８Ｂは、昇降台１６の左右両端に前後軸心回りに回転自在に設けられたガイドローラ４２を有し、昇降台１６の左右外方でベース板２４から立設されたガイド板４３にガイドローラ４２を転動自在に当接させることによって昇降台１６の左右位置が規制されるようになっている。
本実施形態にかかる成形型を用いて境界ブロック１を成形するには、外型内に内型１１をセッティングし、ハンドル３２を介して駆動軸３３を回転させることによって昇降台１６を上昇させ、孔用型１２を内型１１の孔１３から突出（進出）させる。
【００２０】
そして、外型と内型１１との間に形成されたキャビティ内にコンクリートを流し込み、固化させる。
成形後、操作機構１５のハンドル３２を逆方向に回転させることにより昇降台１６を下降させ、孔用型１２を内型１１内に後退させる。この際、孔用型１２は先細り形状であることから良好に抜き取ることができる。
また、成形された排水路３から内型１１を離脱し、外型を分型することによって境界ブロック１を取り出す。
【００２１】
この境界ブロック１に形成された導水孔４は、ブロック外面側から排水路３側へ向けて次第に開口面積が広がるような内広がり形状に形成されるようになり、これによって、導水孔４の流入口４Ａ（図１３参照）からの土砂や石等の侵入を減らすことができ、土砂等が侵入したとしても堆積せずに排水路３側に排出することができるようになっている。
なお、上記操作機構１５は、チェーンやスプロケット等を用いたものに限定されるものではなく、例えば、昇降台１６をリンク等を利用して昇降させるもの等に置換することができ、また、昇降の操作は、ハンドル３２によって手動で行うに限らず、モータやシリンダ等を用いて自動で行うこともできる。
【００２２】
また、孔用型は、その厚さ、幅共に上部が先細り形状となるように形成しているが、幅を上下に一様として厚さのみ先細り状に形成したり、厚さを上下に一様として幅のみを先細り状とすることができる。
図４〜図６は、第２の実施形態にかかる孔用型１２を示している。
この孔用型１２は、一対の枠材（外枠材５１，内枠材５２）によって主構成されており、このうち外枠材５１は、側板部５１Ａの幅方向両縁を屈曲することによって立板部５１Ｂを形成して断面コの字形に形成され、内枠材５２も、側板部５２Ａの幅方向両縁を屈曲することにより立板部５２Ｂを形成して断面コの字形に形成されたものとなっている。
【００２３】
内枠材５２の幅は外枠材５１の立板部５２Ｂの対向面間隔よりやや小さくなるように形成されており、外枠材５１と内枠材５２とは、それぞれコの字状の開放側が対向するような配置で、外枠材５１の内側に内枠材５２を入り込ませている。
内外枠材５２，５１の間でその幅方向の両側には、一対の板バネよりなる付勢部材５３が介装されており、また、この付勢部材５３と重なり合う状態で内外枠材５２，５１の基端部寄り（図４の上寄り）にはライナー５４が介装されている。また、内外枠材５２，５１の基端部にはハバキ５５が配置されている。
【００２４】
内枠材５２と外枠材５１とは、その先端部側で互いの間隔を拡縮自在とするように、基端部側が幅方向両側２カ所でカシメ部材５７によって連結されており、この際、付勢部材５３、ライナー５４、ハバキ５５も一緒にカシメ固定されるようになっている。
また、上記の固定部分よりも先端寄りでは、内枠材５２を除いた外枠材５１、付勢部材５３、ライナー５４、ハバキ５５が幅方向両側の２カ所でカシメ部材５８により固定されている。
【００２５】
付勢部材５３は、内外枠材５２，５１の先端部側へ延び、その先端部で内枠材５２にカシメ部材５９により固定されており、この付勢部材５３により内外枠材５２，５１の先端部間隔が縮小する方向への付勢力が付与されるようになっている。
外枠材５１の内側の深さ（立板部５１Ｂの高さ）は、内枠材５２全体の厚さより若干深く形成されており、内外枠材５２，５１の基端部側（図６（ａ）参照）では、外枠材５１の立板部５１Ｂの先端位置と内枠材５２の側板部５２Ａ外面とがほぼ一致するようにライナー５４によって間隔調整されるようになっている。したがって、両側板部５１Ａ，５２Ａの外面間隔によって設定される孔用型１２の基端部側での厚さｔ１は、外枠材５１の厚さに相当するものとなっている。
【００２６】
孔用型１２の先端部側では、外枠材５１の立板部５１Ｂ先端よりも内側へ内枠材５２の側板部５２Ａが若干入り込むように付勢部材５３によって付勢されている。
このため、孔用型１２の先端部の厚さ（縮小時の厚さ）ｔ２は、基端部側の厚さｔ１よりもやや小さくなっている。
このような先端部側と基端部側との厚さの違いによって、孔用型１２に抜き勾配が形成されるようになっている。
【００２７】
外枠材５１と内枠材５２の間には、両者の先端部間隔を拡大するための操作具６１が介装されている。この操作具６１は、一対の付勢部材５３，５３の間に配置された長尺の帯板材よりなる操作部６２と、操作部６２の先端側に傾斜面６３を介して厚肉状に形成された楔部６４とを有し、この楔部６４の幅は操作部６２よりも広く形成され、内枠材５２の幅よりも若干小さく形成されている。
そして、操作部６２を介して操作具６１を長手方向に移動させることにより楔部６４を内外枠材５２，５１の間に入り込ませると、傾斜面６３に沿って内枠材５２が外側に広がるようになっている。
【００２８】
これによって、孔用型１２の先端部の厚さｔ２が拡大し、基端部側の厚さｔ１よりも大きくなる。
図４に示すように、上記成形型を用いて境界ブロック１を成形するには、外型１０内に内型１１をセッティングし、外型１０側から孔用型１２を挿入する。そして、操作部６２を介して操作具６１を外方へ引っ張り、楔部６４を内外枠材５２，５１間に挿入して孔用型１２の先端厚さを拡大する。ハバキ５５から突出する操作具６１の基端部を成形設備側に孔６２Ａ等を介して固定する。
【００２９】
外型１０と内型１１との間に形成されたキャビティＣにコンクリートを流し込み、固化させたのちに孔用型１２を抜き取るには、操作部６２を介して操作具６１を内型１１側へ押し込み、楔部６４を内外枠材５２，５１の間から離脱する。内枠材５２の先端部は付勢部材５３の付勢力で外枠材５１側に移動するので、孔用型１２の先端部の厚さが縮小する。これによって、成型後の境界ブロック１から孔用型１２を抜き取り可能となる。
成型後の導水孔４は、先端部の厚さｔ２を拡大した孔用型１２によって、ブロック外面側から排水路３側へ向けて次第に開口面積が大きくなる内広がり形状となり、その流入口４Ａからの土砂、石等の侵入が減少するとともに、土砂等が侵入した場合であっても排出口４Ｂから排水路３側へ容易に排出されるようになっている。
【００３０】
図７〜図９は、孔用型１２の第３の実施形態であり、この孔用型１２は、上記第２実施形態と略同様であるが、操作具７１の形態が異なるものとなっている。また、付勢部材５３は、外枠材５１と内枠材５２との間に幅広のものが一つ介在されている。
本実施形態の操作具７１は、内型１１の内外に出退自在に設けられ、突出したときに内外枠材５２，５１の間に挿入されるカム部材７２を有しており、このカム部材７２は、図１１に示すように、側面視略扇形に形成され、平面視でその両端部に山形状のカム面７３を有したものとなっており、扇形の要位置を貫通する軸７４によって支持されている。
【００３１】
そして、境界ブロック１の成型の際に内外枠材５２，５１間にカム部材７２を挿入することによって孔用型１２先端部の厚さｔ２を拡大し、成型後、孔用型１２を抜き取る際に、カム部材７２を離脱して付勢部材５３により孔用型１２先端部の厚さｔ２を縮小し、容易に抜き取りが行えるようにしている。
図１０に示すように、内型１１の内部には、カム部材７２を出退動作させるための操作機構７６が設けられている。
この操作機構７６は、内型１１の長手方向に沿って配置されカム部材７２を支持する前記軸７４と、内型１１の両端位置において軸７４を回動自在に支持する支持部材７７と、軸７４の一端に設けられた操作ハンドル７８と、軸７４の回動を規制するストッパ手段７９と、を備えている。
【００３２】
ストッパ手段７９は、軸７４の外端部に固定された歯止め車８０に揺動自在な爪８１を掛止することにより軸７４の回動を規制するものとなっている。
本実施形態では、操作ハンドル７８を介して軸７４を回動することによってカム部材７２を内型１１に形成した孔１３から突出し、カム部材７２の両端部に形成したカム面７３から内外枠材５２，５１の間に挿入して当該間を押し広げ、孔用型１２の先端部の厚さｔ２を拡大する。また、ストッパ手段７９により軸７４の回動を規制することで孔用型１２の厚さｔ２を拡大した状態に維持する。
【００３３】
境界ブロック１の成形後は、ストッパ手段７９を解除したのちに操作ハンドル７８によって軸７４を回動し、カム部材７２を内型１１内部へ後退させて内外枠材５２，５１の間から離脱する。内枠材５２は付勢部材５３によって外枠材５１側に移動するため、孔用型１２の先端部の厚さｔ２が縮小され、この孔用型１２を外方へ抜き取り可能となる。
図１２は、操作機構７６の変形例（第４実施形態）を示すものであり、この例は、孔用型１２の幅方向を内型１１の長手方向に沿わせた配置で導水孔４を成形する場合に用いるものである。
【００３４】
内型１１内には、帯板材よりなる支持体８２が長手方向に沿って配置され、この支持体８２に支持軸８３を介してカム部材７２が回動自在に支持されている。また、カム部材７２には被操作片８４が突出され、この被操作片８４が操作アーム８５に係合軸８６を介して連結されている。また、被操作片８４又は操作アーム８５に対する係合軸８６の挿通部分は長孔形状等に形成されている。
操作アーム８５は、内型１１の内部に長手方向に沿って配置され、長手方向に移動自在として内型１１の内側に支持されており、内型１１から突出する一端部には操作ハンドル８７が設けられている。
【００３５】
また、この操作アーム８５の移動を規制するストッパ手段８８が内型１１に設けられており、このストッパ手段８８は、操作アーム８５に形成された複数の凹溝８９と、この凹溝８９に係脱自在に係合する係合爪９０とを備え、係合爪９０は略扇形状を呈していてその要位置で内型１１内面に枢支されている。
本実施形態では、操作アーム８５を長手方向に移動することによって被操作片８４を介してカム部材７２を支持軸８３回りに回動し、内型１１に形成した孔１３から突出又は後退させるようになっている。
【００３６】
本発明は、上記実施形態に限定されるものではなくその特許請求の範囲内で適宜変更できるものである。
例えば、導水孔の形状は、スリット形状とするに限らず、正方形孔状、丸孔状、楕円孔状等とすることができ、この導水孔の形状に応じて孔用型を構成すればよい。また、第２〜第４実施形態において、孔用型はその厚さを拡縮するものとして例示しているが、幅を拡縮するものとして構成することもできる。また、円形状の導水孔を成形する孔用型の場合は、その径を拡縮するものとして構成することができる。
【００３７】
境界ブロックに形成される導水孔の数や排水路の形状等についても上記実施形態に限定されるものではなく、適宜変更可能である。
本発明は、上記に説明した境界ブロックに限定されるものではなく、排水路及び導水孔を形成した排水機能を有するブロックであれば、あらゆるブロック製品及びその成形型に適用可能である。
例えば、図１５に示すように、内部に排水路３が形成され、上部外面から排水路３に連通する導水孔４が形成されている側溝ブロック１に本発明を適用することができ、この側溝ブロック１では、そのブロック長手方向に沿う方向のスリット状の導水孔４が２つ形成されたものとなっている。かかる導水孔４が上記各実施形態で示されたような孔用型１２を用いて成型されるようになる。
【００３８】
【発明の効果】
以上詳述したように、本発明によれば、ブロックに形成される導水孔を内広がり形状に成形でき、また、内広がり形状の導水孔によって土砂等の侵入を減らし堆積を防止することができるようになる。
【図面の簡単な説明】
【図１】本発明の第１実施形態にかかる成形型の正面図である。
【図２】同平面図である。
【図３】同側面断面図（図２のＡ−Ａ矢示図）である。
【図４】本発明の第２実施形態にかかる成形型の側面図である。
【図５】孔用型の正面図である。
【図６】（ａ）は図４のＢ−Ｂ矢示図、（ｂ）は図４のＣ−Ｃ矢示図、（ｃ）は図４のＤ−Ｄ矢示図である。
【図７】本発明の第３実施形態にかかる成形型の側面図である。
【図８】孔用型の正面図である。
【図９】孔用型の底面図である。
【図１０】（ａ）は操作機構の正面図、（ｂ）は側面図である。
【図１１】（ａ）はカム部材の平面図、（ｂ）は側面図である。
【図１２】（ａ）は本発明の第４実施形態にかかる操作機構の正面図、（ｂ）は側面図である。
【図１３】境界ブロックの斜視図である。
【図１４】境界ブロックの施工状態を示す側面断面図である。
【図１５】側溝ブロックの斜視図である。
【符号の説明】
１　　　境界ブロック
３　　　排水路
４　　　導水孔
１１　　　内型
１２　　　孔用型
１５　　　操作機構
５１　　　外枠材
５２　　　内枠材
５３　　　付勢部材
６１　　　操作具
６２　　　操作部
６４　　　楔部
７１　　　操作具
７２　　　カム部材
７６　　　操作機構
【図１】
2004058533.tif 000003
【図２】
2004058533.tif 000004
【図３】
2004058533.tif 000005
【図４】
2004058533.tif 000006
【図５】
2004058533.tif 000007
【図６】
2004058533.tif 000008
【図７】
2004058533.tif 000009
【図８】
2004058533.tif 000010
【図９】
2004058533.tif 000011
【図１０】
2004058533.tif 000012
【図１１】
2004058533.tif 000013
【図１２】
2004058533.tif 000014
【図１３】
2004058533.tif 000015
【図１４】
2004058533.tif 000016
【図１５】
2004058533.tif 000017